(57)【要約】本発明によれば、前面に小便受けが形成されている小便器本体と、一側には、小便器本体が載置され、他側には、垂直方向に離隔して形成される複数個の係止部を備える本体と、係止部に対応して側面結合するように上部に結合溝を備える昇降部と、このような昇降部に連結され、下部が地面に立てられるように基部とからなる昇降ユニットと、を含む男児用小便器を提供する。男児の身体構造に合わせて高底調節が可能であって、小便器本体は、内側に形成された突出部によって小便が飛ばさずに下に流れ、小便器本体は、多様なキャラクターで形状化して親近感を与えて、おむつを外す時期になる男児に、小便に対する自立力をより早くできる。
2014501153.tif 000002
【特許請求の範囲】
【請求項１】
前面に小便受けが形成されている小便器本体と、
一側には、前記小便器本体が載置され、他側には、垂直方向に離隔して形成される複数個の係止部を備える本体と、
前記係止部に対応して側面結合するように上部に結合溝を備える昇降部と、前記昇降部に連結され、下部が地面に立てられるように基部とからなる昇降ユニットと、
を含む男児用小便器。
【請求項２】
前記小便器本体は、内側中間部分が左右傾斜し、正面に突出する請求項１に記載の男児用小便器。
【請求項３】
前記小便器本体は、前記本体に着脱自在に結合され、ユーザが把持できるように形成された取っ手部を備える請求項１に記載の男児用小便器。
【請求項４】
前記本体は、背面が壁体に着脱可能に真空吸着板をさらに含みうる請求項１に記載の男児用小便器。
【請求項５】
前記本体は、多様なキャラクターで形状化することができる請求項１に記載の男児用小便器。
【請求項６】
前記昇降ユニットは、内側に水を収容して重量中心を有し、地面に立てられるように空間部からなる請求項１に記載の男児用小便器。
【発明の詳細な説明】
【技術分野】
【０００１】
本発明は、男児用小便器に係り、より詳細には、室内に備え付けて使われる小便器を直立型で構成して、男児に便利さを提供し、かつ男児の成長発育によって高底調節が可能な男児用小便器に関する。
【背景技術】
【０００２】
一般的に、乳児のいる家庭では、多様なキャラクター形状に形成された玩具型小便器が備え付けられて使われている。このような小便器は、普通乳児の性別に関係なく着席した状態で放尿するように製造され、機能性よりは乳児が好きなデザインを中心に製造されて販売されている。しかし、前記小便器は、乳児の性別に関係なく着席した状態で放尿がなされるので、乳児は、前記小便器に対する適応力が劣って一人では正しく小便をすることができなかった。また、放尿時に、個人ごとの身体構造上、照準される放尿角度、及び位置がそれぞれ異なって、一部の小便は外部に漏れて室内空間を汚染させる問題点があった。
【０００３】
このような問題を解決するために、内部に小便を受けるように空間が形成され、背面に真空吸着板が形成されて、タイルまたはガラスからなるトイレ壁体に付着固定される男児用小便器が提案された。しかし、トイレに付着された前記小便器を使う乳児は、トイレの敷居を越えることが難しく、トイレまでの動線が長くて、小便を堪えにくい場合が発生した。また、トイレの底に形成された水分などによって、滑ってけがをする問題が発生した。このような理由で、親は、前記小便器を居間に据え置きしようとするが、前記小便器の吸着板は、居間の壁体に付着固定しにくい問題点がある。
【発明の概要】
【発明が解決しようとする課題】
【０００４】
本発明は、前記問題点を解決するために案出されたものであって、男児用小便器を直立型で構成して、男児に便利さを提供し、室内どこでも備え付けが可能であり、かつ男児の成長発育によって高底調節が可能な男児用小便器を提供するところにその目的がある。
【課題を解決するための手段】
【０００５】
前記のような目的を果たすための本発明によれば、前面に小便受けが形成されている小便器本体と、一側には、前記小便器本体が載置され、他側には、垂直方向に離隔して形成される複数個の係止部を備える本体と、前記係止部に対応して側面結合するように上部に結合溝を備える昇降部と、前記昇降部に連結され、下部が地面に立てられるように基部とからなる昇降ユニットと、を含む男児用小便器が提供される。
【０００６】
ここで、前記小便器本体は、内側中間部分が左右傾斜し、正面に突出することができる。
【０００７】
また、前記小便器本体は、前記本体に着脱自在に結合され、ユーザが把持できるように形成された取っ手部を備えることができる。
【０００８】
また、前記本体は、背面が壁体に着脱可能に真空吸着板をさらに含みうる。
【０００９】
また、前記本体は、多様なキャラクターで形状化することができる。
【００１０】
また、前記昇降ユニットは、内側に水を収容して重量中心を有し、地面に立てられるように空間部からなりうる。
【発明の効果】
【００１１】
本発明による男児用小便器は、次のような効果を有する。
【００１２】
第１に、乳児の性別と関係なく着席して使っていた便器を、直立型で構成することによって、男児に便利さを提供する。
【００１３】
第２に、放尿時に男児の成長発育に合わせて高底調節が可能であって、小便が外部に漏れることを防止する。
【００１４】
第３に、小便器本体は、内側に形成された突出部によって小便が飛ばさずに下に流れるようにする。
【００１５】
第４に、小便器本体は、小便器本体に着脱自在に結合されて、着脱時に内側に形成された取っ手を用いて小便を容易に空にし、洗浄時には、把持が容易であって、清潔な小便器状態を保持する。
【００１６】
第５に、小便器本体は、多様なキャラクターで形状化して、親近感を与え、おむつを外す時期になる男児に、小便に対する自立力をより早く持たせる効果を有する。
【図面の簡単な説明】
【００１７】
【図１】本発明の一実施形態による男児用小便器の斜視図である。
【図２】図１に示した男児用小便器の分離斜視図である。
【図３】図１に示した男児用小便器の背面から見た使用状態図である。
【図４】図３に示した男児用小便器の昇降ユニットに結合された小便器本体が昇降した形状を示す使用状態図である。
【図５】本発明の一実施形態による男児用小便器が壁体に付着された形状を示す使用状態図である。
【発明を実施するための形態】
【００１８】
以下、添付した図面を参照して、本発明の望ましい一実施形態を詳しく説明する。
【００１９】
図１は、本発明の一実施形態による男児用小便器の使用状態図であり、図２は、図１に示した男児用小便器の分離斜視図である。
【００２０】
図３は、図１に示した男児用小便器の背面から見た使用状態図であり、図４は、図３の男児用小便器を示したものであって、昇降ユニットに結合された小便器本体が昇降した形状を示す使用状態図である。
【００２１】
図５は、本発明の一実施形態による男児用小便器が壁体に付着された形状を示す使用状態図である。
【００２２】
図面を参照すると、本発明の一実施形態による男児用小便器１００は、小便器本体１１０と本体１２０及び昇降ユニット１３０とを含む。ここで、前記男児用小便器１００は、直立型で形成されて小便をする男児に便利性を提供し、小便器に対する適応力を高める役割を行う。
【００２３】
前記小便器本体１１０は、突出部１１１及び取っ手部１１３を含む。ここで、前記小便器本体１１０は、使う男児の小便を受けるように内部空間を形成し、後述する前記本体１２０の一側に載置される。
【００２４】
前記突出部１１１は、前記小便器本体１１０の内側に形成され、中間部分が左右傾斜し、正面に突設される。このような前記突出部１１１は、小便が正面に衝突して反動によって飛ばさずに左右に斜めに流れるようにする特徴を有する。一方、前記突出部１１１は、形状が流麗な曲線で作られるが、目的を果たすことができるならば、その形状が限定されるものではない。また、前記小便器本体１１０は、内側中間に小便誘導機１１５が付着される。前記小便誘導機１１５は、小便放尿時に小便を正確に照準するように誘導して、外部に漏れない特徴を有する。
【００２５】
前記取っ手部１１３は、前記小便器本体１１０の内側上端で把持可能になるように形成される。このような前記取っ手部１１３は、ユーザが前記小便器本体１１０内に小便が満ちているか、または洗浄時に容易に把持して移動する役割を行う。ここで、前記取っ手部１１３は、図面に示したように、前記突出部１１１の上端が開口され、前記開口部の内側と外側は、指を用いて把持する。一方、前記取っ手部１１３は、内側に凹凸部１１３ａが形成される。前記凹凸部１１３ａは、前記取っ手部１１３を把持時に指が滑らない効果を有する。したがって、前記小便器本体１１０は、前記本体１２０に着脱時に滑らず、また運搬時に安定して移動させる効果を有する。
【００２６】
前記本体１２０は、係止部１２１及び固定部１２３を含む。このような前記本体１２０は、前記小便器本体１１０を着脱自在に載置させ、他側は、前記昇降ユニット１３０に結合する。前記係止部１２１は、前記本体１２０の他側に備えられ、後述する前記昇降ユニット１３０の結合溝１３１ａに結合される。ここで、前記係止部１２１は、垂直方向に複数個が離隔して形成され、前記結合溝１３１ａに対応する形状を有する。また、前記係止部１２１は、前記本体１２０の両側にそれぞれ備えられる。
【００２７】
前記固定部１２３は、前記本体１２０の上部から延びた背面に結合されて、前記壁体１０に固定されるように備えられる。ここで、前記固定部１２３は、前記壁体１０に容易に固定されるように真空吸着板１２３で作られる。このような前記男児用小便器１００は、普通直立型で地面２０に立てられるが、選択的には、前記壁体１０に付着固定することができる。
【００２８】
前記昇降ユニット１３０は、昇降部１３１と基部１３３とを含む。前記昇降部１３１は、円形の棒状に形成され、前記係止部１２１に対応して結合されるように結合溝１３１ａが形成される。ここで、前記結合溝１３１ａは、前記昇降部１３１の垂直方向に沿って複数個形成される。また、前記結合溝１３１ａは、前記昇降部１３１の周りに沿って外周面に形成され、前記昇降部１３１の外周面よりも小さく形成されて、前記係止部１２１が、側面結合時に上下に動かないように固定させる。一方、前記昇降部１３１は、前記本体１２０の左右側係止部１２１に対応して結合されるように一対に備えられ、前記基部１３３と一体に連結される。
【００２９】
前記基部１３３は、前記昇降部１３１と連結され、前記本体１２０を前記地面２０に直立型で立てられるように固定する。また、前記昇降ユニット１３０は、全体的に内部に空間１３５が形成される。ここで、前記空間１３５は、前記昇降部１３１のうち、一側上面に形成された注入部１３７を通じて水が供給され、前記水の重量によって重量中心を有し、地面に固定される。
【００３０】
以下、添付図面を参照して、本発明の実施形態による男児用小便器１００の作用及び効果を説明する。
【００３１】
まず、ユーザは、前記昇降ユニット１３０に形成された注入部１３７に水を注いで、前記昇降ユニット１３０が重量中心を有し、地面に立てられるようにする。以後、前記本体１２０を前記昇降ユニット１３０に結合させる。この際、前記本体１２０に備えられた係止部１２１を前記昇降部１３１の掛け溝１３１ａに側面結合する。この際、前記本体１２０は、使用男児の身体構造に合わせて高底を調節して結合させる。以後、前記小便器本体１１０を前記本体１２０の一側に載置させる。一方、前記乳児用小便器１００を使った男児が小便することが慣れれば、前記本体１２０の背面に形成された固定部１２３をトイレ便器の一側の壁体１０に付着する。
【００３２】
前記のように、男児用小便器１００は、乳児の性別と関係なく着席して使っていた便器を、直立型で構成することによって、男児に便利さを提供する。また、男児の成長発育や身体構造に合わせて高底調節が可能であって、小便が外部に漏れることを防止する。また、前記小便器本体１１０は、内側に形成された突出部１１１によって小便が飛ばさずに下に流れるようにする。また、前記小便器本体１１０は、前記本体１２０に着脱自在に結合されて、着脱時に内側に形成された取っ手部１１３を用いて小便を容易に空にし、洗浄時には、清潔な小便器状態を保持する。また、前記乳児用小便器１００は、背面に形成された固定部１２３を用いてトイレの壁体に固定して、トイレを使う男児にトイレ小便に対する適応力を高める。最後に、前記小便器本体１１０は、多様なキャラクターで形状化して親近感を与え、おむつを外す時期になる男児に、小便に対する自立力をより早くする効果を有する。
【００３３】
本発明は、図面に示された実施形態を参考にして説明されたが、これは例示的なものに過ぎず、当業者ならば、これより多様な変形及び均等な他実施形態が可能であるという点を理解できるであろう。したがって、本発明の真の技術的保護範囲は、特許請求の範囲の技術的思想によって決定されるべきである。
【符号の説明】
【００３４】
１０    地面
２０    壁体
１００    男児用小便器
１１０    小便器本体
１１１    突出部
１１３    取っ手部
１２０    本体
１２１    固定部
１２３    係止部
１３０    昇降ユニット
１３１    昇降部
１３３    基部
【図１】
2014501153.tif 000003
【図２】
2014501153.tif 000004
【図３】
2014501153.tif 000005
【図４】
2014501153.tif 000006
【図５】
2014501153.tif 000007
【国際調査報告】
2014501153.tif 000008
2014501153.tif 000009
2014501153.tif 000010
2014501153.tif 000011